(57)【特許請求の範囲】
【請求項１】
外箱３内に、前側に外部への接続手段を備えた上下厚みの小さい薄型のハードディスク体１がクッション部材２を介して支持されているハードディスクカートリッジにおいて、
ハードディスク体１の側面に、硬質材で薄肉の板状に形成されたフレーム７が取り付けられており、
このフレーム７の上下幅は、ハードディスク体１の上下厚みよりも小さくしてあり、
クッション部材２は、フレーム７に嵌合する凹部８を有する断面コ字形状に形成されていて、フレーム７の全長にわたって備えられており、
クッション部材２の上下端部が、ハードディスク体１の上下面よりもそれぞれ外側にはみ出るようにしてあることを特徴とするハードディスクカートリッジ。
【請求項２】
ハードディスク体１の左右側面１ａ・１ｂに左右一対のフレーム７が取り付けられており、
この各フレーム７の前後端部７ａ・７ｂがハードディスク体１の前後側面１ｃ・１ｄに沿うように直角状に折り曲げられていて、この前後の折り曲げ端部７ａ・７ｂが、ハードディスク体１の前後側面１ｃ・１ｄに回り込んで当て付けられており、
フレーム７の折り曲げ端部７ａ・７ｂの外面にも、クッション部材２を、これの上下端部がハードディスク体１の上下面よりもそれぞれ外側にはみ出るように備えている請求項１記載のハードディスクカートリッジ。
【請求項３】
１本のフレーム７が、ハードディスク体１の左右側面１ａ・１ｂおよび後側面１ｄに沿って当て付けられている請求項１記載のハードディスクカートリッジ。
【請求項４】
フレーム７とクッション部材２とが、一体成形されている請求項１又は２又は３記載のハードディスクカートリッジ。
【発明の詳細な説明】
【０００１】
【発明の属する技術分野】
本発明は、外箱内にハードディスク体を収容してあって、パーソナルコンピュータなどに対して着脱自在に装着できるハードディスクカートリッジに関する。
【０００２】
【従来の技術】
ハードディスク体は、データやプログラムなどを記憶するための大容量の外部記憶装置として使用されているが、特開平５−３１４７４５号公報に示すごとく、上下厚みの小さい薄型のハードディスク体を外箱内に収容して携帯可能にしたハードディスクカートリッジが知られている。そこでのハードディスク体は、外箱内においてクッション部材で支持されて、外部衝撃によるハードディスク体の損傷防止を図っている。
【０００３】
ハードディスク体の内部には、これの上下面に対して平行に配置される記憶媒体としてのディスクと、このディスク面に沿って移動してデータの読み書きを行うヘッドとが配置されている。
【０００４】
【発明が解決しようとする課題】
かかるハードディスクカートリッジでは、外箱に加わる外部衝撃がハードディスク体に及ぶのをクッション部材で吸収緩和している。しかし、先の特開平５−３１４７４５号公報では、クッション部材がバラバラに離散した状態で配置されているため、各クッション部材を分厚くしなければ衝撃力を十分には吸収できない。この結果、外箱の小型化が図れないところに問題があった。
【０００５】
もともとハードディスク体の上下面は、撓みやすく、外部衝撃から保護されるべき要請が高いところである。しかし、ハードディスク体の上下面にクッション部材を配置すると、外箱に対して上下方向の衝撃が加わった際に、クッション部材の弾性反発力でハードディスク体の上下面が押圧されて、ハードディスク体の上下面がたわむ。この場合は、ヘッドがディスクに対して適正なアクセスが行えず、ハードディスク体の動作不良を招くことになる。
【０００６】
そこで本発明の目的は、クッション部材が薄くても外部衝撃力を十分に吸収緩和できて小型化が図れ、クッション部材の弾性反発力でハードディスク体がたわむことも防止できるハードディスクカートリッジを得ることにある。本発明の目的は、上下方向の衝撃からもハードディスク体を確実に保護できるようにすることにある。本発明の目的は、衝撃吸収手段の簡略化を図ってハードディスクカートリッジの生産性を向上することにある。
【０００７】
【課題を解決するための手段】
本発明は、図１に示すごとく外箱３内に、前側に外部への接続手段を備えた上下厚みの小さい薄型のハードディスク体１がクッション部材２を介して支持されているハードディスクカートリッジにおいて、ハードディスク体１の少なくとも左右側面１ａ・１ｂに、硬質のフレーム７を取り付け、このフレーム７の外面にクッション部材２を、これの上下端部がハードディスク体１の上下面よりもそれぞれ外側にはみ出るように備えていることを特徴とする。
【０００８】
具体的には、左右一対の各フレーム７の前後端部７ａ・７ｂがハードディスク体１の前後側面１ｃ・１ｄに沿うように直角状に折り曲げられていて、この前後の折り曲げ端部７ａ・７ｂが、ハードディスク体１の前後側面１ｃ・１ｄに回り込んで当て付けられており、フレーム７の折り曲げ端部７ａ・７ｂの外面にも、クッション部材２を、これの上下端部がハードディスク体１の上下面よりもそれぞれ外側にはみ出るように備えたものにすることができる。
【０００９】
更に、クッション部材２は、フレーム７に嵌合する凹部８を有する断面コ字形状に形成する。また、フレーム７とクッション部材２とは一体成形しておいて、ハードディスク体１に同時に取り付けられるようにすることができる。ここでフレーム７とクッション部材２との一体成形には、フレーム７とクッション部材２とをインサート成形する場合などが該当する。
【００１０】
【発明の作用効果】
本発明によれば、ハードディスク体１の少なくとも左右側面１ａ・１ｂに取り付けたフレーム７の外面に、クッション部材２を備えているので、ハードディスク体１の左右側面１ａ・１ｂと外箱３との間がクッション部材２で埋められている。従って、ハードディスク体１に加わる左右方向の外部衝撃がクッション部材２で吸収される。更に、クッション部材２の上下端部が、ハードディスク体１の上下面よりもはみ出ているので、ハードディスク体１に加わる上下方向の外部衝撃も、クッション部材２の上下端部で吸収できる。従って、クッション部材２が薄くても衝撃力を十分に緩和できることになり、その分だけハードディスクカートリッジの小型化を図れる。
【００１１】
ハードディスクカートリッジに外部衝撃が加わった際には、クッション部材２の弾性反発力がフレーム７に加わるが、フレーム７が硬質である分だけフレーム７がたわみにくい。従って、外部衝撃でフレーム７を介してハードディスク体１のとくに上下面側がたわんで、ヘッドがディスク４に対して適正なアクセスが行えなくなることなどの動作不良を確実に防止できる。
【００１２】
フレーム７の前後端部７ａ・７ｂをハードディスク体１の前後側面１ｃ・１ｄに沿うように直角状に折り曲げて、この折り曲げ端部７ａ・７ｂをハードディスク体１の前後面１ｃ・１ｄに当て付け、折り曲げ端部７ａ・７ｂの外面にもクッション部材２を同じ要領で備えていると、外箱３内にハードディスク体１を前後方向にもクッション性を付与して支持できるとともに、上下方向の外部衝撃を吸収する作用が更に高まるものとなる。
【００１３】
クッション部材２が凹部８を有する断面コ字形状に形成されていると、凹部８にフレーム７を嵌合することにより、フレーム７とクッション部材２とを合計した総厚を例えば５mm以下などの薄いものにでき、全体の小型化によく貢献できる。また、フレーム７にクッション部材２を後付け装着する形態において、クッション部材２の位置ズレをよく防止できることにもなる。
【００１４】
フレーム７とクッション部材２とが予め一体成形されていると、ハードディスク体１にフレーム７を取り付けたのち、このフレーム７にクッション部材２を後付けする手間を省略できて、その分ハードディスクカートリッジの生産性が向上する。
【００１５】
【発明の実施の形態】
図面は本発明に係るハードディスクカートリッジの実施例を示す。図１に示すごとく、ハードディスク体１は、クッション部材２を介して外箱３内に支持されている。ハードディスク体１は、上下厚みの小さい薄型で前後方向に長い四角形状に形成されており、これの内部には、ディスク４や図外のヘッドなどが配置されているとともに、図２に示すごとくディスク４の下側に制御回路などを形成した回路基板５が配置されている。
【００１６】
外箱３は、硬質プラスチック製の上下ケース３ａ・３ｂを結合してなる前後方向に長い角箱状に形成されており、外箱３の前面側の開口部内に、図１に示すごとくパーソナルコンピュータなどに接続するためのコネクタ６が取り付けられており、このコネクタ６の後部にハードディスク体１の前側に配した端子１０が接続されている。
【００１７】
ハードディスク体１における長辺側の左右側面１ａ・１ｂは、これの前後間にわたってクッション部材２が左右一対のフレーム７を介してそれぞれ装着される。各フレーム７は、硬質プラスチックやステンレスやアルミニウムなどの硬質材で薄肉の板状に形成されており、フレーム７の上下幅はハードディスク体１の上下厚みよりも小さい。各フレーム７の前後端部は、ハードディスク体１の前後側面１ｃ・１ｄに沿うように直角状に曲げられていて、ハードディスク体１の前後側面１ｃ・１ｄの左右端部に回り込んで当て付けられている。このフレーム７の外面には、ほぼ全面にわたってクッション部材２が装着される。
【００１８】
クッション部材２は、ポリウレタンの発泡体や熱可塑性エラストマーなどからなり、図３に示すごとくフレーム７の外面側を全面的に覆うように、フレーム７に嵌合する凹部８を有する断面コ字状に形成されている。左右の各フレーム７にクッション部材２を外嵌装着したとき、ハードディスク体１の左右側面１ａ・１ｂの全面および前後側面１ｃ・１ｄの一部において、クッション部材２の上下端部は、ハードディスク体１の上下面よりもそれぞれ外側にはみ出している。
【００１９】
次に、ハードディスクカートリッジの組み立て要領を説明すると、左右一対の各フレーム７は、それぞれ前後２箇所を２本のビス９でハードディスク体１の左右側面１ａ・１ｂにそれぞれ止め付ける。このとき、フレーム７の前後の折り曲げ端部７ａ・７ｂが、ハードディスク体１の前後側面１ｃ・１ｄの左右端部に位置する。次いで、各フレーム７にクッション部材２の凹部８を嵌合しながら、フレーム７の外面側を覆うようにこれの全長にわたってクッション部材２をフレーム７に接着剤で接着固定する。そして、コネクタ６の後部にハードディスク体１の端子１０を接続した状態で、コネクタ６とハードディスク体１とを外箱３内に収容する。
【００２０】
この状態で、ハードディスク体１は、前後左右および上下がクッション部材２を介して外箱３内に支持され、このクッション部材２によって外箱３が他物に当たった際などに生じる外部衝撃がハードディスク体１に伝わることを吸収緩和する。
【００２１】
フレーム７を硬質プラスチックなどで形成する場合には、フレーム７とクッション部材２とを一体成形してもよい。また、フレーム７をステンレスやアルミニウムなどの金属板で形成する場合には、例えばフレーム７を金型内にセットし、熱可塑性エラストマーなどを射出成形機により溶融射出成形するインサート成形で、フレーム７とクッション部材２とを一体成形してもよい。これら一体成形した場合でも、図４（ｂ）に示すごとくフレーム７がクッション部材２の凹部８の嵌合した状態になる。
【００２２】
フレーム７とクッション部材２とを一体成形した場合には、図４（ａ）に示すごとくビス９用の挿通孔１１をクッション部材２とフレーム７とにわたって貫通状に形成しておき、クッション部材２付きのフレーム７をハードディスク体１の左右側面１ａ・１ｂに前述の要領でビス止めすればよい。
【００２３】
また、フレーム７は、図５に示すごとく１本で形成し、このフレーム７およびこれの外面に備えたクッション部材２が、ハードディスク体１の左右側面１ａ・１ｂおよび後側面１ｄの全域に沿って当て付けられるとともに、フレーム７およびクッション部材２の前折り曲げ端部７ａ・２ａが、ハードディスク体１の前側面１ｃの左右端部に沿って当て付けられるようにしてもよい。
【００２４】
フレーム７をアルミニウムの金属板で形成した場合には、フレーム７がハードディスク体１の外壁と同一素材となって、フレーム７とハードディスク体１の外壁との接触に起因する電位差が生じず、この結果、フレーム７が早期に腐食することが防止される。
【図面の簡単な説明】
【図１】全体の平面図
【図２】全体の縦断正面図
【図３】要部の拡大縦断面図
【図４】図４（ａ）はフレームおよびクッション部材の別実施例を示す要部の横断平面図、図４（ｂ）は別実施例の縦断面図
【図５】フレームおよびクッション部材の更に異なる別実施例を示す平面図
【符号の説明】
１  ハードディスク体
１ａ  左側面
１ｂ  右側面
１ｃ  前側面
１ｄ  後側面
２  クッション部材
３  外箱
７  フレーム
７ａ  前折り曲げ端部
７ｂ  後折り曲げ端部
８  凹部
【図１】
0003690738.tif 000002
【図２】
0003690738.tif 000003
【図３】
0003690738.tif 000004
【図４】
0003690738.tif 000005
【図５】
0003690738.tif 000006